(57)【特許請求の範囲】
【請求項１】
少なくとも、年齢、性別に関する患者固有の属性情報と患者固有の臨床検査データに関する生体情報と患者固有の病変に関する診断情報とを含む個別患者情報を入力する患者情報入力端末装置と、
上記患者情報入力端末装置により入力される上記個別患者情報が記憶される個別患者情報記憶部と上記個別患者情報記憶部に記憶される上記個別患者情報と対比される標準患者情報が記憶された標準患者情報記憶部とを備えた患者情報データベース部と、
上記個別患者情報記憶部に記憶された個別患者情報と上記標準患者情報記憶部に記憶された標準患者情報とを比較する患者情報比較部と、
上記患者情報比較部において上記標準患者情報と比較した上記個別患者情報の正常又は異常の判定を行い、その判定情報を出力する患者情報判定部と、
上記患者情報判定部により異常と判定された個別患者情報に対応する病変情報を、予め記憶した病変情報から特定して出力する病変判断部と、
選択的に組み合わせられて編集医療情報コンテンツを構成する複数のコンテンツエレメントが記憶されるとともに上記病変判断部から入力される病変情報に関連したコンテンツエレメントを上記複数のコンテンツエレメントから選択して出力するコンテンツエレメント記憶部と、提供される医療情報に対する患者の理解度を判定するための理解度判定コンテンツが記憶されるとともに上記病変情報に関連して選択されたコンテンツエレメントに対応する理解度判定コンテンツを出力する理解度判定コンテンツ記憶部とを備える医療情報データベース装置と、
上記医療情報データベース装置のコンテンツエレメント記憶部から選択的に入力される複数のコンテンツエレメントと上記患者情報入力端末装置から入力される個別患者情報と上記理解度判定コンテンツ記憶部から入力される上記理解度判定コンテンツとを組み合わせ、個別患者に対応する一連の編集医療情報コンテンツを編集して出力するコンテンツ編集装置と、
上記医療情報コンテンツ編集装置により編集された上記編集医療情報コンテンツが蓄積されるとともに、上記編集医療情報コンテンツを選択的に出力する編集医療情報コンテンツ出力部と、
上記編集医療情報コンテンツ出力部から出力される上記編集医療情報コンテンツを表示する医療情報コンテンツ提示装置を備えている
ことを特徴とする医療情報提供システム。
【請求項２】
上記コンテンツエレメント記憶部に記憶された医療情報コンテンツは、複数のコンテンツエレメント群と、上記コンテンツエレメント群をそれぞれ構成する複数のコンテンツエレメントと、上記コンテンツエレメントを構成する複数のエレメントパートとからなり、
上記コンテンツエレメント記憶部は、上記病変判断部から入力される病変情報に関連したコンテンツエレメント群とコンテンツエレメントとエレメントパートを選択的に出力し、
上記医療情報コンテンツ編集装置は、上記病変情報に関連して選択されたコンテンツエレメント群とコンテンツエレメントとエレメントパートとを組み合わせるとともに、上記エレメントパートの一部に上記患者情報入力端末装置から入力される個別患者情報を記録して編集医療情報コンテンツを編集し出力することを特徴とする請求項１に記載の医療情報提供システム。
【請求項３】
上記医療情報コンテンツ提示装置には、当該医療情報コンテンツ提示装置に表示される理解度判定コンテンツから提示される質問の回答を選択する回答選択手段が設けられ、
上記回答選択手段により選択された回答情報が入力されるとともに、上記回答情報と対比判定される判定情報が記憶され、上記回答情報と上記判定情報とを対比判定して得られる判定結果を理解度情報として出力する理解度判定部を備え、
上記理解度判定部から出力された上記理解度情報は、上記患者情報データベース部の上記個別患者情報記憶部に記憶されることを特徴とする請求項１に記載の医療情報提供システム。
【請求項４】
上記理解度判定部から出力され上記患者情報データベース部の上記個別患者情報記憶部に記憶された上記理解度情報は、上記コンテンツエレメント記憶部からコンテンツエレメントを選択する際の指標とされることを特徴とする請求項３に記載の医療情報提供システム。
【請求項５】
上記医療情報コンテンツ提示装置に表示される編集医療情報コンテンツの視聴回数、理解度判定コンテンツの利用回数に関する情報が上記理解度判定部に入力されるとともに、上記理解度判定部から出力されて上記患者情報データベース部の個別患者情報記憶部に記憶されることを特徴とする請求項３又は請求項４に記載の医療情報提供システム。
【発明の詳細な説明】
【技術分野】
【０００１】
本発明は、診察対象者である個々の患者に対し適切な医療情報を提供する医療情報提供システムに関する。
【背景技術】
【０００２】
従来、医療の現場において、医師による患者に対する治療内容の伝達は、一般的に、診察をした医師が、治療内容を記載した文書や図表などの文書を提示若しくは参照しながら口頭で行っている。
【０００３】
この種の医療行為を行うに当たって、患者に対する医療情報を正確に把握し、適切な医療行為を実行するため、医療カルテや医療レポートなどの医療情報を電子データとして記憶装置に記憶して蓄積するようにした様々な電子処理装置が提案され導入されている（特許文献１、２）。
【０００４】
また、患者に対する医療行為に関する情報を管理し、患者に対する医療情報を正確に把握し、適切な医療行為を行うことを目的とする医療情報管理装置が提案されている（特許文献３）。
【先行技術文献】
【特許文献】
【０００５】
【特許文献１】特開２００９−０８０７３１号公報
【特許文献２】特開２００９−０８２４４２号公報
【特許文献３】国際公開２０１３−０５４４８５号公報
【発明の概要】
【発明が解決しようとする課題】
【０００６】
ところで、医師の診察対象である患者は、病変を発症させた異常な状態で病状や治療内容の説明を受けるため、医師の説明を十分に理解できないことが見受けられている。また、治療内容などの医療情報は、医学的な専門用語が多く、医療知識が乏しい患者が適確に診断内容や治療内容を理解できない状態が時々発生している。
【０００７】
また、医療情報の一部は、インターネットなどの公衆通信網を介して提供されている。この種の公衆通信網を介して提供される医療情報は、医師の診断を仰ぐことなく、患者自身の判断により入手するものである。そのため、患者は、患者固有の病変の治療に適切な情報を入手することが困難であるばかりか、誤った医療情報を入手してしまうおそれもある。
【０００８】
このように、医師の説明したい内容は患者に理解されにくい問題点がある。そして、医療に関する専門知識が十分でない患者が自ら医療情報を得ようとした場合、自己に適切な医療情報を入手することは極めて困難である。
【０００９】
本発明は、患者の病変に関する理解度不足を解消し、患者が治療内容に関する情報を正確に理解し得る医療情報提供システムを提供することを目的とする。
【００１０】
さらに、本発明は、個々の患者に最も適した医療関連情報を提供し、患者の病状の理解を向上し、患者に対する治療効率を向上し、治療に対する満足度を向上することを目的とする。
【課題を解決するための手段】
【００１１】
上述したような目的を達成するために提案される本発明は、個々の患者に対応した医療情報を提供する医療情報提供システムであり、少なくとも、年齢、性別に関する患者固有の属性情報と患者固有の臨床検査データに関する生体情報と患者固有の病変に関する診断情報とを含む個別患者情報を入力する患者情報入力端末装置と、上記患者情報入力端末装置により入力される上記個別患者情報が記憶される個別患者情報記憶部と上記個別患者情報記憶部に記憶される上記個別患者情報と対比される標準患者情報が記憶された標準患者情報記憶部とを備えた患者情報データベース部と、上記個別患者情報記憶部に記憶された個別患者情報と上記標準患者情報記憶部に記憶された標準患者情報とを比較する患者情報比較部と、上記患者情報比較部において上記標準患者情報と比較した上記個別患者情報の正常又は異常の判定を行い、その判定情報を出力する患者情報判定部と、上記患者情報判定部により異常と判定された個別患者情報に対応する病変情報を、予め記憶した病変情報から特定して出力する病変判断部と、選択的に組み合わせられて編集医療情報コンテンツを構成する複数のコンテンツエレメントが記憶されるとともに上記病変判断部から入力される病変情報に関連したコンテンツエレメントを上記複数のコンテンツエレメントから選択して出力するコンテンツエレメント記憶部と、提供される医療情報に対する患者の理解度を判定するための理解度判定コンテンツが記憶されるとともに上記病変情報に関連して選択されたコンテンツエレメントに対応する理解度判定コンテンツを出力する理解度判定コンテンツ記憶部とを備える医療情報データベース装置と、上記医療情報データベース装置のコンテンツエレメント記憶部から選択的に入力される複数のコンテンツエレメントと上記患者情報入力端末装置から入力される個別患者情報と上記理解度判定コンテンツ記憶部から入力される上記理解度判定コンテンツとを組み合わせ、個別患者に対応する一連の編集医療情報コンテンツを編集して出力するコンテンツ編集装置と、上記医療情報コンテンツ編集装置により編集された上記編集医療情報コンテンツが蓄積されるとともに、上記編集医療情報コンテンツを選択的に出力する編集医療情報コンテンツ出力部と、上記編集医療情報コンテンツ出力部から出力される上記編集医療情報コンテンツを表示する医療情報コンテンツ提示装置を備えている。
【００１２】
上記コンテンツエレメント記憶部に記憶された医療情報コンテンツは、複数のコンテンツエレメント群と、上記コンテンツエレメント群をそれぞれ構成する複数のコンテンツエレメントと、上記コンテンツエレメントを構成する複数のエレメントパートとからなり、上記コンテンツエレメント記憶部は、上記病変判断部から入力される病変情報に関連したコンテンツエレメント群とコンテンツエレメントとエレメントパートが選択的に出力し、上記医療情報コンテンツ編集装置は、上記病変情報に関連して選択されたコンテンツエレメント群とコンテンツエレメントとエレメントパートとを組み合わせるとともに、上記エレメントパートの一部に上記患者情報入力端末装置から入力される個別患者情報を記録して編集医療情報コンテンツを編集し出力する。
上記医療情報コンテンツ提示装置には、当該医療情報コンテンツ提示装置に表示される理解度判定コンテンツから提示される質問の回答を選択する回答選択手段が設けられ、上記回答選択手段により選択された回答情報が入力されるとともに、上記回答情報と対比判定される判定情報が記憶され、上記回答情報と上記判定情報とを対比判定して得られる判定結果を理解度情報として出力する理解度判定部を備え、上記理解度判定部から出力された上記理解度情報は、上記患者情報データベース部の上記個別患者情報記憶部に記憶される。
上記理解度判定部から出力され上記患者情報データベース部の上記個別患者情報記憶部に記憶された上記理解度情報は、患者情報データベース部の上記個別患者情報記憶部に記憶され、上記コンテンツエレメント記憶部からコンテンツエレメントを選択する際の指標とされる。
上記表示コンテンツ提示装置に表示される編集医療情報コンテンツの視聴回数、理解度判定コンテンツの利用回数に関する情報が上記理解度判定部に入力されるとともに、上記理解度判定部から出力されて上記患者情報データベース部の個別患者情報記憶部に記憶される。
【発明の効果】
【００１３】
本発明は、医療情報データベース装置のコンテンツエレメント記憶部に記憶したコンテンツエレメントを、患者情報入力端末装置から入力される個別患者情報に基づいて患者毎に編集した編集医療情報コンテンツをコンテンツ提示装置に提示して視聴するようにしているので、個々の患者は、自己に最も適した医療情報に関するコンテンツを視聴することができるので、病変に関する理解度不足を解消し、治療内容に関する治療情報の理解度を向上することができる。
【００１４】
そして、本発明は、個々の患者に最も適した医療関連情報を提供することにより、各患者の病状の理解を向上し、患者に対する治療効率を向上し、治療に対する満足度を向上することができる。
【００１５】
特に、本発明は、編集医療情報コンテンツを構成するエレメントパートの一部に患者情報入力端末装置から入力される個別患者情報を記録したことにより、各患者の病状の理解度、治療内容に関する治療情報の理解度を一層向上することができる。
【００１６】
さらに、本発明は、医療情報コンテンツに、医療情報に対する患者の理解度を判定する理解度判定コンテンツを記録し、その理解度を判定するようにしているので、医師を含む医療機関は、個別の患者の病変に対する理解度を把握することができ、各患者に対し一層適切な医療を提供することができる。
【図面の簡単な説明】
【００１７】
【図１】本発明に係る医療情報提供システムの構成を示すブロック図である。
【図２】個別患者情報と標準患者情報とを比較し、病変の判定を行う過程を示すフローチャートである。
【図３】コンテンツエレメント群の階層構造を示す図である。
【図４】コンテンツ編集装置の構成例を示すブロック図である。
【図５】医療情報コンテンツの編集工程を示すフローチャートである。
【図６】医療情報コンテンツの編集工程を模式的に示す図である。
【発明を実施するための形態】
【００１８】
以下、本発明に係る医療情報提供システムの実施の形態を、図面を参照して説明する。
【００１９】
本実施の形態は、医師の診察を受ける診察対象者である個々の患者に対し適切な医療情報を提供するようにした医療情報提供システムであって、この医療情報提供システム１は、図１に示すように、患者情報入力端末装置１０と、医療情報処理装置２０と、医療情報コンテンツ提示装置５０とを備える。これら患者情報入力端末装置１０と、医療情報処理装置２０と、医療情報コンテンツ提示装置５０は、イントラネット、ローカルエリアネットワーク（ＬＡＮ）等の通信ネットワーク６０を介して、所定のプロトコルで通信可能に接続されている。
【００２０】
患者情報入力端末装置１０は、図１に示すように、情報入力操作部１１と、情報入力操作部１１から入力される入力情報を記憶する情報記憶部１２と、情報表示部１３と、送受信部１４とを備えている。この患者情報入力端末装置１０は、患者の診察を行う診察室などに設置され、医師やその他の医療従事者により操作される。
【００２１】
患者情報入力端末装置１０には、医師の診察対象となる患者固有の属性情報、生体情報、患者を診察して得られる問診情報、患者固有の病変に関する診断情報を含む個別患者情報が入力される。
【００２２】
本実施の形態で取り扱われる患者固有の属性情報には、年齢、性別、身長、体重、高血圧症、糖尿病、骨粗鬆症などの病変の既往歴、家族の病変歴、受傷前の日常生活動作に関する情報が含まれる。そして、患者固有の生体情報には、検体検査情報である血液検査データ、尿検査データなどの一般検査データ、さらに、Ｘ線撮影画像、コンピュータ断層撮影（ＣＴ：Conputed Tomography）画像、核磁気共鳴画像(Magnetic resonance imaging)等の画像検査情報、心電図や呼吸機能に関するデータを含む生理機能検査データが含まれる。診断情報としては、病名、原病歴、合併症、治療経過などが含まれる。そして、診断情報に含まれる原病歴には、骨折部位、骨折分類、病期ステージなどがある。また、合併症としては、例えば、頭部外傷、外傷性血気胸の有無などがある。
【００２３】
患者情報入力端末装置１０に入力される上述したような個別患者情報は、情報入力操作部１１を介して情報記憶部１２に入力され記憶される。なお、個別患者情報には、患者毎の識別を行うための識別情報である患者識別コードが付与され、患者毎に分類されて情報記憶部１２に記憶され、送受信部１４から出力される。
【００２４】
本実施の形態において、患者情報入力端末装置１０に、臨床検査装置１５、Ｘ線検査装置１６、撮像装置１７を接続し、これら各装置から得られる生体情報を患者情報入力端末装置１０に直接入力し、情報記憶部１２に記憶するようにしてもよい。さらに、患者情報入力端末装置１０には、患者の身体に装着して患者の生態情報を収集する身体装着型検査装置１８を接続するようにしてもよい。この種の身体装着型検査装置（ウエアラブルデバイス）１８を接続することにより、経時的に変化する患者の歩数、心拍数、血中酸素濃度、体温、脳波、睡眠状況などの生態情報を収集することができる。
【００２５】
そして、情報記憶部１２に記憶された個別患者情報は、情報入力操作部１１の操作により、情報表示部１３に表示され、送受信部１４に出力される。送受信部１４に出力された個別患者情報は、通信ネットワーク６０を介して医療情報処理装置２０に入力される。
【００２６】
医療情報処理装置２０には、患者毎の個別患者情報を記憶するための個別患者情報記憶部２１と、個別患者情報記憶部２１に記憶された個別患者情報と対比するための標準患者情報が記憶された標準患者情報記憶部２２を備えた患者情報データベース部２３が設けられている。
【００２７】
患者情報入力端末装置１０から入力された個別患者情報は、患者情報データベース部２３の個別患者情報記憶部２１に記憶される。個別患者情報は、属性情報、生体情報、問診情報、診断情報毎に分類されて個別患者情報記憶部２１に記憶される。また、個別患者情報には、患者毎に患者識別コードが付されて個別患者情報記憶部２１に記憶される。
【００２８】
患者情報データベース部２３の標準患者情報記憶部２２には、個別患者情報記憶部２１に記憶される個別患者情報と対比するための標準患者情報が記憶されている。標準患者情報には、健常者から得られる臨床検査データを含む生態情報や属性情報が含まれる。この標準患者情報も、個別患者情報に対応して情報毎に分類されて標準患者情報記憶部２２に記憶されている。
【００２９】
そして、医療情報処理装置２０には、患者情報比較部２４が設けられている。患者情報比較部２４は、図２に示すように、患者情報入力端末装置１０から個別患者情報記憶部２１に個別患者情報が入力され記憶されると（ステップＳ１０１）、この個別患者情報記憶部２１に入力された個別患者情報に対応する標準患者情報を標準患者情報記憶部２２から読み出す（ステップＳ１０２）。次いで、標準患者情報と個別患者情報と対比し（ステップＳ１０３）、比較情報を出力する（Ｓ１０４）。患者情報比較部２４から出力される比較情報は、医療情報処理装置２０に設けられた患者情報判定部２５に入力される。患者情報判定部２５は、患者情報比較部２４から入力された比較情報に基づいて、個別患者情報記憶部２１に入力された個別患者情報が異常か正常かの判定を行い、その判定情報を出力する（ステップＳ１０５）。
【００３０】
個別患者情報の異常又は正常の判定は、例えば対比される情報が計量データであれば、計量データの大きさを対比して行う。そして、対比情報が画像情報である場合には、個別患者の画像と標準画像を対比して行う。
【００３１】
さらに、医療情報処理装置２０は、病変判断部２６を備える、病変判断部２６は、判定部２５により異常と判定された個別患者情報に基づいて、予め記憶された病変情報を特定する。病変情報は、患者の疾患部位や疾患の状態に関する情報を含む。病変判断部２６において特定された病変情報は、医療情報データベース装置２７に入力される。
【００３２】
病変情報が入力される医療情報データベース装置２７には、コンテンツエレメント記憶部２８が設けられている。コンテンツエレメント記憶部２８には、選択的に組み合わせられ、患者固有の疾患の状況や治療を説明し、さらには疾患への対応を説明するための一つの関連した医療情報コンテンツを構築する複数のコンテンツエレメント群（Ａ）〜（Ｎ）が記憶されている。これらコンテンツエレメント群（Ａ）〜（Ｎ）は、１つ又は複数のコンテンツエレメント（ａ−１〜ａ−ｎ）〜（ｎ−１〜ｎ−ｎ）の組から構成されている。ここで、コンテンツエレメント（ａ−１〜ａ−ｎ）〜（ｎ−１〜ｎ−ｎ）は、文字、図形、音声、映像若しくはこれらを組み合わせたプログラムであり、一体不可分に連続した画像プログラム、音声プログラムと画像プログラムの組み合わせなど、互いに組み合わせ、結合されて一組のコンテンツエレメント群（Ａ）〜（Ｎ）を構成する。そして、一組のコンテンツエレメント群（Ａ）〜（Ｎ）は、単体若しくは複数の群が組み合わせられて一組の医療情報コンテンツを構成する。
【００３３】
コンテンツエレメント記憶部２８に記憶されるコンテンツエレメント群（Ａ）〜（Ｇ）は、例えば、図３に示すように、入院病棟の位置や配置図等を説明する病棟情報コンテンツエレメント群（Ａ）、患者の診療を行う診療科を説明する診療科コンテンツエレメント群（Ｂ）、各種の疾患に対する治療を説明する治療コンテンツエレメント群（Ｃ）、手術の手順等を説明する手術情報コンテンツエレメント群（Ｄ）、手術などの治療により生ずるリスクを説明するリスク情報コンテンツエレメント群（Ｅ）、手術後の経過を説明する経過情報コンテンツエレメント群（Ｆ）、手術等の治療を受けた後のリハビリを説明するリハビリコンテンツエレメント群（Ｇ）を含む。さらに、退院後の看護や治療を説明する看護コンテンツエレメント群等を含むようにしてもよい。
【００３４】
なお、コンテンツエレメント群（Ａ）〜（Ｇ）は、一組の医療情報コンテンツを構成するときに提示順毎に従った階層が定められ、階層識別コードが付されている。
【００３５】
ここで、病棟情報コンテンツエレメント群（Ａ）は、入院病棟の位置や配置図と病棟を説明する音声情報を含むコンテンツエレメント（ａ−１）を含む。本実施の形態では、病棟情報コンテンツエレメント群（Ａ）は、１つのコンテンツエレメント（ａ−１）から構成されている。診療科コンテンツエレメント群（Ｂ）は、内科、外科、整形外科、脳外科等の各診療科を説明する互いに独立した複数の診療科コンテンツエレメント（ｂ−１）〜（ｂ−ｎ）を含む。各診療科コンテンツエレメント（ｂ−１）〜（ｂ−ｎ）は、さらに下層のエレメントパート（ｂ−１−１）〜（ｂ−１−ｎ）を含むようにしてもよい。
【００３６】
治療コンテンツエレメント群（Ｃ）は、治療する疾患の説明、診断された疾患毎の治療の内容を説明する複数の治療コンテンツエレメント（ｃ−１）〜（ｃ−ｎ）を含む。この治療コンテンツエレメント（ｃ−１）〜（ｃ−ｎ）も、同様に、さらに下層のエレメントパート（ｃ−１−１）〜（ｃ−１−ｎ）を含むようにしてもよい。
【００３７】
そして、手術情報コンテンツエレメント群（Ｄ）は、病変に応じて施される手術を説明する複数の手術情報コンテンツエレメント（ｄ−１）〜（ｄ−ｎ）を含む。さらに、各手術情報コンテンツエレメント（ｄ−１）〜（ｄ−ｎ）は、これらコンテンツエレメント（ｄ−１）〜（ｄ−ｎ）の下層のエレメントパート（ｄ−１−１）〜（ｄ−１−ｎ）を含むようにしてよい。これらエレメントパート（ｄ−１−１）〜（ｄ−１−ｎ）は、例えば、いずれの医療情報コンテンツを構成する場合にも利用される汎用コンテンツが記録された汎用エレメントパートと、患者情報入力端末装置１０から入力される患者固有の生態情報や診断情報が記録されるコンテンツ記録パート（ｄ−ｘ−１）〜（ｄ−ｘ−ｎ）とから構成される。
【００３８】
コンテンツ記録パート（ｄ−ｘ−１）〜（ｄ−ｘ−ｎ）に記録される情報としては、患者情報入力端末装置１０から患者固有の生体情報であるＸ線撮影画像、コンピュータ断層撮影（ＣＴ：Conputed Tomography）画像、核磁気共鳴画像(Magnetic resonance imaging)等の画像に関する情報がある。
【００３９】
リスク情報コンテンツエレメント群（Ｅ）は、手術などの治療により生ずるリスクを説明するリスク情報コンテンツエレメント（ｅ−１）〜（ｅ−ｎ）を含む。経過情報コンテンツエレメント群（Ｆ）は、手術や治療後の経過を説明する複数の経過情報コンテンツエレメント（ｆ−１）〜（ｆ−ｎ）を含む。これらリスク情報コンテンツエレメント（ｅ−１）〜（ｅ−ｎ）、経過情報コンテンツエレメント（ｆ−１）〜（ｆ−ｎ）も、さらに下層のエレメントパート（ｅ−１−１）〜（ｅ−１−ｎ、（ｆ−１−１）〜（ｆ−１−ｎ）を含むようにしてもよい。
【００４０】
リハビリコンテンツエレメント群（Ｇ）は、施された手術や治療毎のリハビリを説明する複数のリハビリコンテンツエレメント（ｇ−１）〜（ｇ−ｎ）を含み、各リハビリコンテンツエレメント（ｇ−１）〜（ｇ−ｎ）は、さらに下層のエレメントパート（ｇ−１−１）〜（ｇ−１−ｎ）を含むようにしてもよい。
【００４１】
コンテンツエレメント記憶部２８に記憶されるコンテンツエレメント群は、上述したようなものに限られるものではなく、治療を受ける患者に提供される各種の医療情報コンテンツを構成するために用いられるコンテンツエレメント群であって、病変の状態を説明する病変情報コンテンツエレメント群、病変の危険度を示す病変危険度コンテンツエレメント群、調剤される医薬の服用方法を説明する薬剤服用コンテンツエレメント群、調剤される医薬の効能等を説明する医薬効能コンテンツエレメント群等を含むようにしてもよい。これらコンテンツエレメント群も、それぞれ複数のコンテンツエレメントから構成し、さらに、各コンテンツエレメントを複数のエレメントパートにより構成するようにしてもよい。
【００４２】
さらに、医療情報データベース装置２７には、理解度判定コンテンツ記憶部２９が設けられている。理解度判定コンテンツ記憶部２９には、複数のコンテンツエレメント群を組み合わせて構成される一つの関連した編集医療情報コンテンツＹ中に、この編集医療情報コンテンツＹを視聴する患者の理解度を確認する複数の理解度判定コンテンツ（Ｑ−１）〜（Ｑ−ｎ）が記憶されている。これら理解度判定コンテンツ（Ｑ−１）〜（Ｑ−ｎ）は、ある種の疾患への対応を説明するために編集された編集医療情報コンテンツＹにおいて、関連した医療情報を示す一群のコンテンツ群（Ａ）〜（Ｎ）、あるいはコンテンツエレメント（ａ−１〜ａ−ｎ）〜（ｎ−１〜ｎ−ｎ）に続いて組み込まれる。
【００４３】
理解度判定コンテンツ（Ｑ−１）〜（Ｑ−ｎ）は、提供された医療情報の理解度を判定する質問と回答の組み合わせであって、例えば、理解度判定コンテンツ（Ｑ−１）は、質問１：「治療法について理解しましたか」と、回答選択肢１：「はい、いいえ」、質問２：「手術をしない場合のリスクついて理解しましたか。」と、回答選択肢２：「はい、いいえ」の組み合わせによって構成されている。また、理解度判定コンテンツ（Ｑ−２）は、質問１：「麻酔方法について理解しましたか」と回答選択肢１：「はい、いいえ」、質問２：「切開箇所ついて理解しましたか。」と回答選択肢２：「はい、いいえ」、質問３：「手術の時間について理解しましたか。」と回答選択肢３：「はい、いいえ」の組み合わせによって構成されている。
【００４４】
そして、医療情報データベース装置２７には、図１に示すように、コンテンツ編集装置３０が接続されている。コンテンツ編集装置３０は、コンテンツエレメント記憶部２８に記憶されるコンテンツエレメント群（Ａ）〜（Ｎ）とコンテンツエレメント（ａ−１〜ａ−ｎ）〜（ｎ−１〜ｎ−ｎ）、又はいずれか一方と、理解度判定コンテンツ記憶部２９に記憶された理解度判定コンテンツ（Ｑ−１）〜（Ｑ−ｎ）を適宜組み合わせ、患者固有の疾患の状況や治療を説明し、さらには疾患への対応を説明し、治療や疾患に対する理解度を判定するための一つの関連した編集医療情報コンテンツＹを編集する。
【００４５】
本実施の形態の医療情報提供システム１では、病変判断部２６により特定された疾患名、等の病変情報は、コンテンツエレメント記憶部２８と理解度判定コンテンツ記憶部２９に入力される。
【００４６】
なお、病変判断部２６により特定される個々の病変状態を含む病変情報と、コンテンツエレメント記憶部２８に記憶されたコンテンツエレメント群（Ａ）〜（Ｎ）、コンテンツエレメント（ａ−１〜ａ−ｎ）〜（ｇ−１〜ｇ−ｎ）、エレメントパート｛（ａ−１−１）〜（ａ−１−ｎ）｝〜｛（ｇ−１−１）〜（ｇ−１−ｎ）｝にはそれぞれ分類識別コードが付され、これら分類識別コードにより関連づけがなされている。
【００４７】
理解度判定コンテンツ（Ｑ−１）〜（Ｑ−ｎ）には、コンテンツエレメント群（Ａ）〜（Ｎ）、コンテンツエレメント（ａ−１〜ａ−ｎ）〜（ｎ−１〜ｎ−ｎ）、エレメントパート｛（ａ−１−１）〜（ａ−１−ｎ）｝〜｛（ｎ−１−１）〜（ｎ−１−ｎ）｝とを関連づけるための分類識別コードが付されている。
【００４８】
そして、病変情報がコンテンツエレメント記憶部２８に入力されると、入力された病変情報に関連づけられたコンテンツエレメント群（Ａ）〜（Ｎ）、コンテンツエレメント（ａ−１〜ａ−ｎ）〜（ｇ−１〜ｇ−ｎ）が選択される。さらに下層のエレメントパート｛（ａ−１−１）〜（ａ−１−ｎ）｝〜｛（ｎ−１−１）〜（ｎ−１−ｎ）｝を備えたコンテンツエレメント（ａ−１〜ａ−ｎ）〜（ｇ−１〜ｇ−ｎ）にあっては、病変情報の個々の状態に対応するエレメントパート｛（ａ−１−１）〜（ａ−１−ｎ）｝〜｛（ｇ−１−１）〜（ｇ−１−ｎ）｝が選択される。
【００４９】
入力された病変情報に関連して選択されたコンテンツエレメント群（Ａ）〜（Ｎ）、コンテンツエレメント（ａ−１〜ａ−ｎ）〜（ｇ−１〜ｇ−ｎ）、エレメントパート｛（ａ−１−１）〜（ａ−１−ｎ）｝〜｛（ｎ−１−１）〜（ｎ−１−ｎ）｝は、コンテンツ編集装置３０に入力される。
【００５０】
病変情報が理解度判定コンテンツ記憶部２９に入力されると、入力された病変情報に関連して選択されたコンテンツエレメント（ａ−１〜ａ−ｎ）〜（ｇ−１〜ｇ−ｎ）に対応して理解度判定コンテンツ（Ｑ−１）〜（Ｑ−ｎ）が選択される。ここで、選択された理解度判定コンテンツ（Ｑ−１）〜（Ｑ−ｎ）は、コンテンツ編集装置３０に入力される。
【００５１】
また、コンテンツ編集装置３０には、患者情報入力端末装置１０から入力され、個別患者情報記憶部２１に記憶された患者固有の生態情報や診断情報が入力される。コンテンツ編集装置３０に入力される患者固有の生態情報や診断情報は、コンテンツエレメント（ａ−１〜ａ−ｎ）〜（ｇ−１〜ｇ−ｎ）の下層を構成するエレメントパート｛（ａ−１−１）〜（ａ−１−ｎ）｝〜｛（ｎ−１−１）〜（ｎ−１−ｎ）｝中のコンテンツ記録パート（ｄ−ｘ−１）〜（ｄ−ｘ−ｎ）に記録される情報であって、患者固有の病変を説明する医療情報コンテンツを構成するために用いられる情報であり、患者固有の生体情報であるＸ線撮影画像、コンピュータ断層撮影（ＣＴ：Conputed Tomography）画像、核磁気共鳴画像(Magnetic resonance imaging)等の画像に関する情報がある。
【００５２】
コンテンツ編集装置３０に入力される患者固有の生態情報や診断情報には、コンテンツ編集装置３０への入力の可否を示す識別情報が付され、さらに、コンテンツ記録パート（ｄ−ｘ−１）〜（ｄ−ｘ−ｎ）中の記録される位置を特定する記録位置識別情報が付加されている。コンテンツ編集装置３０に入力される患者固有の生態情報や診断情報は、記録位置識別情報に基づいて、指定されたコンテンツ記録パート（ｄ−ｘ−１）〜（ｄ−ｘ−ｎ）に記録される。
【００５３】
次に、コンテンツ編集装置３０による医療情報コンテンツの編集工程を説明する。ここで、医療情報コンテンツを編集するコンテンツ編集装置３０は、図４に示すように、コンテンツ計数分類部３１、コンテンツエレメント記憶部３２、コンテンツエレメント読み出し部３３、エレメントパート編集部３４、コンテンツエレメント編集部３５、エレメント群出力部３６を備える。
【００５４】
そして、エレメントパート編集部３４は、エレメントパートカウント部３７、エレメントパート判定部３８、エレメントパート編集部３９、エレメントパート記憶部４０、付加情報判定部４１、理解度判定コンテンツ記憶部４２、編集コンテンツエレメント記憶部４３を備える。
【００５５】
コンテンツエレメント編集部３５は、編集エレメント記憶部４５、編集エレメント判定部４１、エレメント群編集部４７を備えている。
【００５６】
医療情報コンテンツの編集工程は、図５に示すように、まず、病変判断部２６において病変情報が特定されると（ステップ１）、特定された病変情報に関連したコンテンツエレメント群（Ａ）〜（Ｎ）、コンテンツエレメント（ａ−１〜ａ−ｎ）〜（ｎ−１〜ｎ−ｎ）、エレメントパート｛（ａ−１−１）〜（ａ−１−ｎ）｝〜｛（ｎ−１−１）〜（ｎ−１−ｎ）｝がコンテンツエレメント記憶部２８から選択される（ステップ２）。次いで、コンテンツ編集装置３０に入力される（ステップＳ３）。
【００５７】
コンテンツ編集装置３０に入力されたコンテンツエレメント群（Ａ）〜（Ｎ）、コンテンツエレメント（ａ−１〜ａ−ｎ）〜（ｎ−１〜ｎ−ｎ）、エレメントパート｛（ａ−１−１）〜（ａ−１−ｎ）｝〜｛（ｎ−１−１）〜（ｎ−１−ｎ）｝は、コンテンツ計数・分類部３１に入力され、コンテンツ計数分類部３１において、コンテンツエレメント群（Ａ）〜（Ｎ）、コンテンツエレメント（ａ−１〜ａ−ｎ）〜（ｎ−１〜ｎ−ｎ）、エレメントパート｛（ａ−１−１）〜（ａ−１−ｎ）｝〜｛（ｎ−１−１）〜（ｎ−１−ｎ）｝は階層別に分類され、コンテンツエレメント群（Ａ）〜（Ｎ）、各コンテンツエレメント群（Ａ）〜（Ｎ）を構成するコンテンツエレメント（ａ−１〜ａ−ｎ）〜（ｎ−１〜ｎ−ｎ）、各コンテンツエレメント（ａ−１〜ａ−ｎ）〜（ｎ−１〜ｎ−ｎ）毎にその数が計数される（ステップ４）。
【００５８】
コンテンツ計数分類部３１において計数されたコンテンツエレメント群（Ａ）〜（Ｎ）、コンテンツエレメント（ａ−１〜ａ−ｎ）〜（ｎ−１〜ｇ−ｎ）の数は、コンテンツ計数分類部３１に記憶される（ステップＳ５）。
【００５９】
コンテンツ計数分類部３１において、階層別に分類され計数されたコンテンツエレメント群（Ａ）〜（Ｎ）、コンテンツエレメント（ａ−１〜ａ−ｎ）〜（ｎ−１〜ｎ−ｎ）、エレメントパート｛（ａ−１−１）〜（ａ−１−ｎ）｝〜｛（ｎ−１−１）〜（ｎ−１−ｎ）｝は、分類された階層毎にコンテンツエレメント記憶部３２に一時的に記憶される（ステップＳ６）。
【００６０】
コンテンツ編集装置３０のコンテンツエレメント記憶部３２に記憶された互いに関連づけられたコンテンツエレメント群（Ａ）〜（Ｎ）とコンテンツエレメント（ａ−１〜ａ−ｎ）〜（ｎ−１〜ｎ−ｎ）とエレメントパート｛（ａ−１−１）〜（ａ−１−ｎ）｝〜｛（ｎ−１−１）〜（ｎ−１−ｎ）｝は、エレメント読み出し部３３により、階層毎に読み出しが行われる（ステップＳ７）。
【００６１】
エレメント読み出し部３３から読み出されたコンテンツエレメント群（Ａ）〜（Ｎ）とコンテンツエレメント（ａ−１〜ａ−ｎ）〜（ｎ−１〜ｎ−ｎ）とエレメントパート｛（ａ−１−１）〜（ａ−１−ｎ）｝〜｛（ｎ−１−１）〜（ｎ−１−ｎ）｝は、エレメントパート編集部３４に入力される。エレメントパート編集部３４は、入力されたコンテンツエレメント（ａ−１〜ａ−ｎ）〜（ｎ−１〜ｎ−ｎ）を抽出し、このコンテンツエレメント（ａ−１〜ａ−ｎ）〜（ｎ−１〜ｎ−ｎ）を構成するエレメントパート｛（ａ−１−１）〜（ａ−１−ｎ）｝〜｛（ｎ−１−１）〜（ｎ−１−ｎ）｝を計数し、エレメントパートカウント部３７に記憶する（ステップＳ８）。
【００６２】
次いで、各コンテンツエレメント（ａ−１〜ａ−ｎ）〜（ｎ−１〜ｎ−ｎ）を構成するエレメントパート｛（ａ−１−１）〜（ａ−１−ｎ）｝〜｛（ｎ−１−１）〜（ｎ−１−ｎ）｝を順に抽出し、エレメントパート判定部３８において、各エレメントパート｛（ａ−１−１）〜（ａ−１−ｎ）｝〜｛（ｎ−１−１）〜（ｎ−１−ｎ）｝がコンテンツ記録パート（ｄ−ｘ−１）〜（ｄ−ｘ−ｎ）であるか否かの判定を行う（ステップＳ９）。
【００６３】
コンテンツエレメント（ａ−１〜ａ−ｎ）〜（ｎ−１〜ｎ−ｎ）がコンテンツ記録パート（ｄ−ｘ−１）〜（ｄ−ｘ−ｎ）を含むと判定されたとき、エレメントパート編集部３９に入力される（ステップＳ１０）。
【００６４】
エレメントパート編集部３９には、個別患者情報記憶部２１から患者固有の生体情報であるＸ線撮影画像、コンピュータ断層撮影（ＣＴ：Conputed Tomography）画像、核磁気共鳴画像(Magnetic resonance imaging)等の画像に関する個別生体情報（Ｖ−１）〜（Ｖ−ｎ）が入力されている。エレメントパート編集部３９に、コンテンツ記録パート（ｄ−ｘ−１）〜（ｄ−ｘ−ｎ）を含むコンテンツエレメント（ａ−１〜ａ−ｎ）〜（ｎ−１〜ｎ−ｎ）が入力されると、コンテンツ記録パート（ｄ−ｘ−１）〜（ｄ−ｘ−ｎ）に関連に関連づけられた個別生体情報（Ｖ−１）〜（Ｖ−ｎ）が選択され、これら個別生体情報（Ｖ−１）〜（Ｖ−ｎ）が対応するコンテンツ記録パート（ｄ−ｘ−１）〜（ｄ−ｘ−ｎ）に記録され、編集コンテンツエレメント（ａ−１’〜ａ−ｎ’）〜（ｎ−１’〜ｎ−ｎ’）が作成される（ステップＳ１２）。
【００６５】
ここで、コンテンツエレメント（ａ−１〜ａ−ｎ）〜（ｎ−１〜ｎ−ｎ）のコンテンツ記録パート（ｄ−ｘ−１）〜（ｄ−ｘ−ｎ）に患者固有の生体情報である画像等の個別生態情報（Ｖ−１）〜（Ｖ−ｎ）を記録する手順を、図６に示す図を参照して説明する。
【００６６】
エレメントパート判定部３８が、図６のＡに示すコンテンツエレメント群（Ａ）〜（Ｎ）をそれぞれ構成するコンテンツエレメント（ａ−１〜ａ−ｎ）〜（ｎ−１〜ｎ−ｎ）について、図６のＢに示すように、コンテンツ記録パート（ｄ−ｘ−１）〜（ｄ−ｘ−ｎ）を含むか否かを判定する（ステップＳ９）。コンテンツエレメント（ａ−１〜ａ−ｎ）〜（ｎ−１〜ｎ−ｎ）は、コンテンツ記録パート（ｄ−ｘ−１）〜（ｄ−ｘ−ｎ）を含むと判定されたときにはエレメントパート編集部３９に入力される（ステップＳ１０）。
【００６７】
コンテンツエレメント（ａ−１〜ａ−ｎ）〜（ｎ−１〜ｎ−ｎ）を構成するコンテンツ記録パート（ｄ−ｘ−１）〜（ｄ−ｘ−ｎ）には、個別患者情報記憶部２１から入力される図６のＣに示す個別生体情報（Ｖ−１）〜（Ｖ−ｎ）が記録される。個別生体情報（Ｖ−１）〜（Ｖ−ｎ）が記録されたコンテンツ記録パート（ｄ−ｘ−１）〜（ｄ−ｘ−ｎ）は、図６のＤに示すように、他のエレメントパート｛（ａ−１−１）〜（ａ−１−ｎ）｝〜｛（ｎ−１−１）〜（ｎ−１−ｎ）｝と組み合わせられ、一連に連続した一組の編集コンテンツエレメント（ａ−１’〜ａ−ｎ’）〜（ｎ−１’〜ｎ−ｎ’）を構成する（ステップＳ１２）。
【００６８】
なお、コンテンツ記録パート（ｄ−ｘ−１）〜（ｄ−ｘ−ｎ）に記録される個別生体情報（Ｖ−１）〜（Ｖ−ｎ）は、患者情報入力端末装置１０から直接入力されるようにしてもよい。
【００６９】
ここで編集された編集コンテンツエレメント（ａ−１’〜ａ−ｎ’）〜（ｎ−１’〜ｎ−ｎ’）は、エレメントパート記憶部４０に入力され記憶される（ステップＳ１３）。エレメントパート記憶部４０には、エレメントパート判定部３８において、エレメントパート｛（ａ−１−１）〜（ａ−１−ｎ）｝〜｛（ｎ−１−１）〜（ｎ−１−ｎ）｝中にコンテンツ記録パート（ｄ−ｘ−１）〜（ｄ−ｘ−ｎ）を含むものではないと判定されたコンテンツエレメント（ａ−１〜ａ−ｎ）〜（ｎ−１〜ｎ−ｎ）も記憶される（ステップＳ１４）。
【００７０】
ところで、本実施の形態において、エレメントパート編集部３４には、付加情報判定部４１が設けられている。付加情報判定部４１は、エレメントパート記憶部４０に記憶された編集コンテンツエレメント（ａ−１’〜ａ−ｎ’）〜（ｎ−１’〜ｎ−ｎ’）、その他のコンテンツエレメント（ａ−１〜ａ−ｎ）〜（ｎ−１〜ｎ−ｎ）について、理解度判定コンテンツ（Ｑ−１）〜（Ｑ−ｎ）を付加するコンテンツ付加情報が記録されているか否かを判定する（ステップＳ１５）。
【００７１】
付加情報判定部４１において、理解度判定コンテンツ付加情報が記録されていると判定された編集コンテンツエレメント（ａ−１’〜ａ−ｎ’）〜（ｎ−１’〜ｎ−ｎ’）、その他のコンテンツエレメント（ａ−１〜ａ−ｎ）〜（ｎ−１〜ｎ−ｎ）は、理解度判定コンテンツ記録部４２に入力される。そして、編集コンテンツエレメント（ａ−１’〜ａ−ｎ’）〜（ｎ−１’〜ｎ−ｎ’）には、図６のＥに示すように、理解度判定コンテンツ記憶部２９から入力される理解度判定コンテンツ（Ｑ−１）〜（Ｑ−ｎ）が付加され理解度判定付きコンテンツエレメントＸＱ１が編集される（ステップＳ１６）。
同様に、その他のコンテンツエレメント（ａ−１〜ａ−ｎ）〜（ｎ−１〜ｎ−ｎ）にも、図６のＦに示すように理解度判定コンテンツ（Ｑ−１）〜（Ｑ−ｎ）が付加され理解度判定付きコンテンツエレメントＸＱｎが編集される（ステップＳ１６）。
【００７２】
そして、図６のＥ、Ｆに示すように、理解度判定付きコンテンツエレメントＸＱ１〜ＸＱｎと、図６のＧ、Ｈに示すようなその他の編集コンテンツエレメント（ａ−１’〜ａ−ｎ’）〜（ｎ−１’〜ｎ−ｎ’）は、編集コンテンツエレメント記憶部４３に記憶される（ステップＳ１７）。
【００７３】
そして、上述したエレメントパート編集部３４において、コンテンツエレメント群（Ａ）〜（Ｎ）をそれぞれ構成するコンテンツエレメント（ａ−１〜ａ−ｎ）〜（ｎ−１〜ｎ−ｎ）について上述したような編集が行われると、編集回数のカウントが行われ、そのカウント数がコンテンツ計数分類部３１に入力される。編集回数は、コンテンツ計数分類部３１において計数されたコンテンツエレメント（ａ−１〜ａ−ｎ）〜（ｎ−１〜ｎ−ｎ）の数と比較される。
【００７４】
上述したようなコンテンツエレメントの編集は、コンテンツエレメント（ａ−１〜ａ−ｎ）〜（ｎ−１〜ｎ−ｎ）の編集回数がコンテンツ計数分類部３１に記録されたコンテンツエレメント数に達するまで行われる。そして、編集回数がコンテンツ計数分類部３１に記録されたコンテンツエレメント数に達したことが検出されることにより一つのコンテンツエレメント群（Ａ）〜（Ｎ）の編集操作が終了する。そして、各コンテンツエレメント（ａ−１〜ａ−ｎ）〜（ｎ−１〜ｎ−ｎ）について、上述したとおりの編集操作が行われることにより、コンテンツエレメント群（Ａ）〜（Ｎ）の編集操作が終了する。
【００７５】
上述したように、コンテンツエレメント（ａ−１〜ａ−ｎ）〜（ｎ−１〜ｎ−ｎ）についての編集工程を経た編集コンテンツエレメント群（Ａ’）〜（Ｎ’）は、コンテンツエレメント編集部３５の編集エレメント記憶部４５に蓄積される。編集エレメント記憶部４５に記憶された編集コンテンツエレメント群（Ａ’）〜（Ｎ’）は、編集コンテンツエレメント判定部４６で計数される。そして、編集コンテンツエレメント判定部４６に蓄積された編集コンテンツエレメント群（Ａ’）〜（Ｎ’）の数がコンテンツエレメント計数分類部３１に記録されたコンテンツエレメント数に達するまでコンテンツエレメント群（Ａ）〜（Ｎ）の編集操作が行われる。
【００７６】
編集エレメント記憶部４５に蓄積された編集コンテンツエレメント群（Ａ’）〜（Ｎ’）がコンテンツエレメント計数分類部３１により計数された数Ｎまでするまで達することにより、一連のコンテンツエレメント群（Ａ）〜（Ｎ）の編集が終了する。
【００７７】
編集処理が行われた図６中のＩに示す編集コンテンツエレメント群（Ａ’）〜（Ｎ’）は、図６のＪに示すように、コンテンツエレメント群編集部４７で、提示順に組み合わせられ一連の編集医療情報コンテンツＹに編集される。この編集医療情報コンテンツＹは、個別患者毎に対応した医療情報コンテンツとなる。
【００７８】
上述したようにコンテンツ編集装置３０において編集された編集医療情報コンテンツＹは、医療情報処理装置２０に設けた編集医療情報コンテンツ出力部５５に出力され蓄積される。
【００７９】
編集医療情報コンテンツ出力部５５に蓄積された編集医療情報コンテンツＹは、通信ネットワーク６０を介して医療情報処理装置２０に接続された医療情報コンテンツ提示装置５０に出力され視聴される。
【００８０】
視聴者である個別の患者は、医療情報コンテンツ提示装置５０の入力操作部５１を操作して、編集医療情報コンテンツ出力部５５に蓄積された編集医療情報コンテンツＹを読み出し、医療情報コンテンツ提示装置５０の情報表示部５２に表示して視聴することができる。このとき、個別の各患者は、医療情報コンテンツ提示装置５０の入力操作部５１から、個人識別情報（ＩＤ：Identification)、パスワードを入力し、編集医療情報コンテンツ出力部５５に蓄積された当該患者用に編集された編集医療情報コンテンツＹを読み出し視聴する。
【００８１】
患者は、医療情報コンテンツ提示装置５０を介して自己に対応して編集された編集医療情報コンテンツＹを視聴することができるので、自己の病変に対する理解度を一層高めることができ、病変に対し一層適切な対応を採ることができる。
【００８２】
さらに、編集医療情報コンテンツＹを視聴する患者は、入力操作部５１を操作し、このコンテンツＹに含まれる理解度判定コンテンツ（Ｑ−１）〜（Ｑ−ｎ）の質問に回答し、その回答結果を医療情報処理装置２０に設けた理解度判定部６５に入力することにより、回答の判定を受けることができる。患者は、回答の判定結果により理解度判定コンテンツ（Ｑ−１）〜（Ｑ−ｎ）に対応する編集医療情報コンテンツＹの理解度を得ることができ、事後に診察を受ける際の資料とすることができ、適切な治療を受けることが期待できる。
【００８３】
また、理解度判定コンテンツ（Ｑ−１）〜（Ｑ−ｎ）の回答結果は、患者情報入力端末装置１０に入力され、患者情報入力端末装置１０の情報記憶部１２に記憶される。患者の診察を行う医師は、の情報記憶部１２に記憶された理解度判定結果を参考にして編集医療情報コンテンツＹを視聴する患者の病変に対する理解度を把握し、事後の治療に対する情報として用いることができる。
【００８４】
さらに、理解度判定部６５により判定された理解度判定結果は、個別患者情報記憶部２１に記憶される。個別患者情報記憶部２１に記憶された理解度判定情報は、更なる編集医療情報コンテンツＹを編集するとき、病変情報に関連するコンテンツエレメント群（Ａ）〜（Ｎ）、コンテンツエレメント（ａ−１〜ａ−ｎ）〜（ｇ−１〜ｇ−ｎ）、エレメントパート｛（ａ−１−１）〜（ａ−１−ｎ）｝〜｛（ｇ−１−１）〜（ｇ−１−ｎ）｝を選択するための指標として用いられ、個別の患者に一層適合した編集医療情報コンテンツＹを編集できる。そのため、本実施の形態に係る医療情報提供システム１により編集され提供される編集医療情報コンテンツＹを用いることにより、患者の病変に対する理解度を一層向上することができ、医師は、患者により適切な治療を提供することができる。
【００８５】
さらに、理解度判定部６５には、患者が表示コンテンツ提示装置５０に表示される編集医療情報コンテンツの視聴回数、理解度判定コンテンツの利用回数に関する利用情報が理解度判定部６５に入力される。これら視聴回数、利用回数は、理解度判定部６５から患者情報データベース部２３の個別患者情報記憶部２１に記憶される。さらに、患者情報入力端末装置１０の情報記憶部１２に記憶される。
【００８６】
編集医療情報コンテンツの視聴回数、理解度判定コンテンツの利用回数は、患者自身の病変情報の理解度や関心度などの判定材料となり、診療の有益な指標とすることができる。
【００８７】
上述した実施の形態では、編集医療情報コンテンツＹに理解度判定コンテンツ（Ｑ−１）〜（Ｑ−ｎ）を組み込んだ例を挙げて説明したが、理解度判定コンテンツ（Ｑ−１）〜（Ｑ−ｎ）を用いることなく、編集医療情報コンテンツＹを構成したものであってもよい。この種の編集コンテンツにおいても、患者毎の病変に対応すものとすることができるので、この編集コンテンツを視聴する患者は、自己の病変に対する理解度を一層向上することができる。
【００８８】
すなわち、本発明に係る医療情報提供システムにおいて、編集医療情報コンテンツＹを理解度判定コンテンツ（Ｑ−１）〜（Ｑ−ｎ）を付加することなく構成するときには、理解度判定コンテンツ（Ｑ−１）〜（Ｑ−ｎ）を付加するために用いられる理解度判定コンテンツ記憶部２９等は設けなくともよい。
【００８９】
本発明において、患者情報入力端末装置１０は、病院内の診療室毎に設置するようにしてもよい。また、医療情報コンテンツ提示装置５０は、パーソナルコンピュータ（ＰＣ）やタブレット端末等により構成される。
【産業上の利用可能性】
【００９０】
本発明は、患者の診察を行う医療の現場で利用され、患者に対し適切な医療情報を提供し、医療行為の理解度の向上、満足度を向上することができる。
【符号の説明】
【００９１】
１  医療情報提供システム
１０  患者情報入力端末装置
２０  医療情報処理装置
２１  個別患者情報記憶部
２２  標準患者情報記憶部
２３  患者情報データベース部
２４  患者情報比較部
２５  患者情報判定部
２６  病変判断部
２７  医療情報データベース装置
２８  コンテンツエレメント記憶部
２９  理解度判定コンテンツ記憶部
３０  コンテンツ編集装置
３１  コンテンツ計数分類部
３２  コンテンツ編集装置に設けられたコンテンツエレメント記憶部
３４  エレメントパート編集部
３５  コンテンツエレメント編集部
３６  エレメント群出力部
５０  医療情報コンテンツ提示装置
５５  編集医療情報コンテンツ出力部
６５  理解度判定部
６０  通信ネットワーク
【要約】      （修正有）【課題】患者の病変に関する理解度不足を解消し、治療内容に関する情報を正確に理解することを可能とする医療情報提供システムを提供する。【解決手段】個々の患者に対応した医療関連情報を提供する医療情報提供システム１であり、患者に提供する医療情報コンテンツを、個別患者の病変情報に基づいて選択されるコンテンツエレメントと、患者情報入力端末１０から入力される個別患者情報とを組み合わせ編集し、個別患者に対応する一連の編集医療情報コンテンツを編集し、この編集医療情報コンテンツを医療情報コンテンツ提示装置５０に表示して患者に視聴させる。さらに、編集医療情報コンテンツに理解度判定コンテンツを付加し、理解度判定コンテンツの回答により、患者の病変に対する理解度を判定する。【選択図】図１【図１】
0005721122.tif 000002
【図２】
0005721122.tif 000003
【図３】
0005721122.tif 000004
【図４】
0005721122.tif 000005
【図５】
0005721122.tif 000006
【図６】
0005721122.tif 000007